(57)【要約】【課題】部品点数の増大と装置構成の大幅な改変を伴うことなく、硬貨払出口内の照明が十分でないことに起因して夜間等において発生し易い硬貨受皿内に払い出された硬貨の取り忘れを有効に防止することができる金銭取扱い装置を提供することを目的としている。【解決手段】ドア２前面に設けた硬貨受皿２１と、硬貨受皿を収容する凹所２０と、硬貨払出口直上のドア面に形成された穴２５及び該穴から前方に光を出射するフリッカ光源２６を備えたフリッカ部２７と、硬貨払出ユニットから硬貨払出口に硬貨が排出されてから所定時間だけフリッカ光源を発光させる制御手段と、を備えた金銭取扱い装置において、凹所上部に記フリッカ光源と連通する連通孔３１を形成し、フリッカ光源の発光光の一部を該凹所内に導いて硬貨受皿内を上方から照明するように構成した。【選択図】図２
2007140586.tif 000002
【特許請求の範囲】
【請求項１】
内部に少なくとも硬貨払出ユニットを備えた装置本体と、該装置本体の前面には前記硬貨払出ユニットから払い出された硬貨を受ける硬貨受皿と、該硬貨受皿を収容する凹所と、該凹所開口部直上に形成された穴及び該穴を介して装置本体内部より前方に光を出射するフリッカ光源を備えたフリッカ部と、前記硬貨払出ユニットから前記硬貨受皿に硬貨が排出されてから所定時間だけ前記フリッカ光源を発光させる制御手段と、を備えた金銭取扱い装置において、
前記凹所上部に前記フリッカ光源と連通する連通孔を形成し、前記フリッカ光源の発光光の一部を該凹所内に導いて前記硬貨受皿内を上方から照明するように構成したことを特徴とする金銭取扱い装置。
【発明の詳細な説明】
【技術分野】
【０００１】
本発明は、自動販売機、両替機、金銭払出装置、精算機等の金銭取扱い装置の改良に関し、特に硬貨払出口の受皿内に払い出された硬貨の取り忘れを防止することができる金銭取扱い装置に関する。
【背景技術】
【０００２】
セルフ給油方式を採用したガソリンスタンドでは、更なるコスト低減を図るために複数の給油機に対して、単数又は少数の精算機を別構成にして設置したシステムを採用することが多い。この給油システムにおいては、利用者が給油機の金銭投入口に金銭を投入してから給油操作を行った際に釣銭がある場合においても、給油機自体からは釣銭は払い出されず、釣銭に関する情報をバーコードにより記録したレシートを給油機から発行する。釣銭の払出しは、給油機から離間した箇所に別途設置された精算機により行われる。
利用者は精算機のレシート挿入口内にレシートを挿入して、挿入口内に配置されたバーコードリーダからの検知用のレーザ光をレシートのバーコード部分に照射させることによって釣銭に関する情報の読取りを受ける。精算機側では、レシート上のバーコードから読取った釣銭情報に基づいて払出口に釣銭を払い出す。このように給油機毎に精算機を設けずに、複数の給油機に共通する一台、或いは少数の精算機によって釣銭を払い出すように構成することによって、給油機の装置構成を簡略化すると共に管理手数を低減して、コストダウンを図ることが可能となる（特許文献１、２）。
図４（ａ）は精算機の外観図（正面図）であり、この精算機は、装置本体１の前面に開閉自在なドア（外装体）２を備え、このドア２の前面にはレシート挿入口３、紙幣払出口４、硬貨払出口５、払出し金額等の表示部６等が装備されている。
図４（ｂ）はドア２を開放した時に前面開口１Ａから露出する装置本体１の内部構成を示しており、レシート挿入口３の直上に相当する位置にはバーコードリーダ１０が配置され、紙幣払出口４の内側に相当する位置には紙幣払出口に払出し用の紙幣を供給する紙幣ユニット（金銭払出装置）１１が配置され、硬貨払出口５の内側に相当する位置には硬貨払出口に払出し用の硬貨を供給する硬貨払出ユニット（金銭払出装置）１５が配置されている。上記各構成要素を制御する制御手段は、装置本体１側に配置される。
硬貨払出ユニット１５は、硬貨を補充するための補充口１６と、硬貨を硬貨払出口５に払出す払出部１７とを備えている。
【０００３】
図５は硬貨払出口の構成を示す側部断面図であり、硬貨払出口５はドア２の前面適所に形成した凹所２０と、凹所２０の内底部に配置した硬貨受皿２１と、を備えている。凹所２０に対応するドア裏面には払出部１７から払い出された硬貨を受け入れて前面側の受皿２１に排出するための受入れ部２２が設けられている。
また、図４（ａ）に示すように硬貨払出口５の直上位置にはフリッカ部２７が配置されており、硬貨が硬貨受皿２１に払い出された後の所定時間（例えば２０秒間）だけ点滅光を出射することにより硬貨の取り出しを利用者に促して取り忘れを防止するようにしている。フリッカ部２７は、図４（ｂ）、図５に示すようにドア２に設けられた穴２５と、穴２５の裏側に相当するドア裏面に配置されたＬＥＤ２６（フリッカ光源）とから構成されている。ＬＥＤ２６と凹所２０との間は仕切り板３０によって仕切ることにより、ＬＥＤ２６からの出射光が凹所２０内に入り込まないように遮蔽している。
しかし、従来の硬貨払出口５の構造にあっては、硬貨受皿２１自体が深底であるばかりか、硬貨受皿は凹所２０内に配置されているため、夜間等においては硬貨払出口内部を目視確認しにくくなるため、硬貨の取り忘れ、取り残しが発生し易くなる。
この不具合に対する対策としては硬貨受皿内部を照明するための格別の照明手段を設けることが有効ではあるが、部品点数の増大によるコストアップ、装置構成の大幅な改変が必要となるという問題をもたらす。
【特許文献１】特開平８−１１９３９６号公報
【特許文献２】特開２００５−４７５５８公報
【発明の開示】
【発明が解決しようとする課題】
【０００４】
本発明は上記に鑑みてなされたものであり、部品点数の増大と装置構成の大幅な改変を伴うことなく、硬貨払出口内の照明が十分でないことに起因して夜間等において発生し易い硬貨受皿内に払い出された硬貨の取り忘れを有効に防止することができる金銭取扱い装置を提供することを目的としている。
【課題を解決するための手段】
【０００５】
上記目的を達成するため、請求項１の発明は、内部に少なくとも硬貨払出ユニットを備えた装置本体と、該装置本体の前面には前記硬貨払出ユニットから払い出された硬貨を受ける硬貨受皿と、該硬貨受皿を収容する凹所と、該凹所開口部直上に形成された穴及び該穴を介して装置本体内部より前方に光を出射するフリッカ光源を備えたフリッカ部と、前記硬貨払出ユニットから前記硬貨受皿に硬貨が排出されてから所定時間だけ前記フリッカ光源を発光させる制御手段と、を備えた金銭取扱い装置において、前記凹所上部に前記フリッカ光源と連通する連通孔を形成し、前記フリッカ光源の発光光の一部を該凹所内に導いて前記硬貨受皿内を上方から照明するように構成したことを特徴とする。
【発明の効果】
【０００６】
以上のように本発明によれば、硬貨払出ユニットから払い出された硬貨を受けるためにドア前面に形成された硬貨受皿内に対して、フリッカ部を構成するフリッカ光源から照明光を照射するようにしたので、部品点数の増大と装置構成の大幅な改変を伴うことなく、硬貨払出口内の照明が十分でないことに起因して夜間等において発生し易い硬貨受皿内に払い出された硬貨の取り忘れを有効に防止することができる。
【発明を実施するための最良の形態】
【０００７】
以下、本発明を図面に示した実施の形態により詳細に説明する。
図１（ａ）及び（ｂ）は本発明の一実施形態に係る金銭取扱い装置の正面図、及びドアを開放した状態を示す図であり、図２は硬貨払出口の照明機構を詳細に示す側面図であり、図３はフリッカ部の斜視図である。
本発明の金銭取扱い装置は、前面に開口１Ａを有した筐体内に紙幣ユニット１１、硬貨払出ユニット１５等を収容した装置本体１と、装置本体１の前面開口１Ａを横方向に開閉するために側部端縁を装置本体によって軸支されたドア２と、を備えている。
硬貨払出ユニット１５は、硬貨補充口１６と、硬貨払出部１７と、図示しない仕分け部、及び金庫を備えている。仕分け部は硬貨補充口から補充された硬貨を金種別に仕分けし、金種別の金庫内に供給する。各金庫は硬貨払出部１７と連通しており、図示しない制御手段からの指令に基づいて金庫内の硬貨を硬貨払出部１７を経由して硬貨払出口５に払出す。
硬貨払出口５は、ドア２の前面適所に形成した凹所２０と、凹所２０の内底部に配置した硬貨受皿２１と、を備えている。凹所２０に対応するドア裏面には払出部１７から払い出された硬貨を受け入れて前面側の受皿２１に排出するための受入れ部２２が設けられている。
図１（ａ）等に示すように硬貨払出口５の直上位置にはフリッカ部２７が配置されており、硬貨が硬貨受皿２１に払い出された後の所定時間（例えば２０秒間）だけ点滅光を出射することにより硬貨の取り出しを利用者に促して取り忘れを防止するようにしている。
フリッカ部２７は、図１（ｂ）、図２、図３に示すように凹所２０の直上位置に相当するドア２面に設けられた複数の穴２５（レンズ）と、各穴２５の裏側に相当するドア裏面に配置されたＬＥＤ２６（フリッカ光源）とから構成されている。
【０００８】
本発明では、凹所２０とフリッカ部２７との間を仕切る仕切り板３０に、フリッカ光源２６と凹所２０内とを連通させる連通孔３１を形成し、フリッカ光源２６からの発光光の一部を連通孔３１から凹所２０内に導いて硬貨受皿２１内を上方から照明するように構成した点が特徴的である。
以上のように本発明では、硬貨払出口近傍に配置されて硬貨払出時に所定時間点灯、点滅し続けることにより利用者に硬貨の取出しを促すフリッカ部（フリッカランプ）の出射光を一部利用して、硬貨払出口内の硬貨受皿内部を照明するようにしたので、夜間等の暗い箇所であっても受皿内の硬貨を確実に視認、判別することが可能となり、取り忘れ、取り残しを防止できる。このように構成したことにより、格別の照明手段によって受皿内をライトアップする等のコストのかかる構成を採用することなく、低コストにて取り忘れ、取り残しを防止することが可能となった。
なお、本発明の金銭取扱い装置は、ガソリンスタンドに設置される精算機ばかりでなく、金融機関のＡＴＭや、券売機や、自販機等の金銭取扱い装置一般に適用することができる。
【図面の簡単な説明】
【０００９】
【図１】（ａ）及び（ｂ）は本発明の一実施形態に係る金銭取扱い装置の正面図、及びドアを開放した状態を示す図。
【図２】フリッカ部の構成を示す側部断面図。
【図３】フリッカ部の構成を示す斜視図。
【図４】（ａ）は従来の精算機の外観図（正面図）、（ｂ）はドアを開放した時に筐体の前面開口から露出する装置本体の内部構成を示す図。
【図５】従来の金銭取扱い装置におけるフリッカ部の構成説明図。
【符号の説明】
【００１０】
１…装置本体、１Ａ…前面開口、２…ドア、３…レシート挿入口、４…紙幣払出口、５…硬貨払出口、６…表示部、１０…バーコードリーダ、１１、…紙幣ユニット、１５…硬貨払出ユニット、１６…硬貨補充口、１７…硬貨払出部、２０…凹所、２１…硬貨受皿、２５…穴、２６…ＬＥＤ、２７…ＬＥＤ、３０…仕切り板、３１…連通孔。
【図１】
2007140586.tif 000003
【図２】
2007140586.tif 000004
【図３】
2007140586.tif 000005
【図４】
2007140586.tif 000006
【図５】
2007140586.tif 000007